(57)【要約】【課題】電源オン直後又は省電力モードからの復帰直後の画像の読取開始時間が一定時間以上に長くなることを防止することができる画像読取装置及びその制御方法を提供すること。【解決手段】画像読取装置１２０は、冷陰極蛍光管７７とＣＣＤ４８とを備え、電源がオンされたとき又は省電力モードから復帰したときに、冷陰極蛍光管７７に供給する電力パルスのデューティを最大値に設定して、冷陰極蛍光管７７の発光をＣＣＤ４８により所定の時間間隔で測定し、冷陰極蛍光管７７の発光強度の時間的変化が安定したことを受けて、又は、発光強度の時間的変化が安定する前に所定時間が経過したことを受けて、デューティを、最大値と画像読取装置１２０の通常動作時の設置値との中間値に設定する。これにより、低温環境下においても、読取開始時間が一定時間以上に長くなることを防止することができる。【選択図】図２
2014057285.tif 000002
【特許請求の範囲】
【請求項１】
光を放出する発光手段と、前記発光手段によって光が照射された原稿からの反射光を受光する受光手段とを備えた画像読取装置であって、
前記発光手段に電力をパルス的に供給する電力供給手段と、
前記画像読取装置の電源がオンされたとき、又は、前記画像読取装置が省電力モードから復帰したときに、前記パルスのデューティを最大値に設定する設定手段と、
前記発光手段が、前記電力供給手段から前記最大値のデューティで電力を供給されることにより放出する光の強度の時間的安定性を判定する判定手段とをさらに備え、
前記設定手段は、前記判定手段が、前記最大値のデューティで電力が供給されたときに前記発光手段が放出する光の強度が時間的に安定したと判定したことを受けて、前記デューティを、前記最大値と、前記画像読取装置の通常動作において設定されるデューティの値との中間値に設定することを特徴とする画像読取装置。
【請求項２】
前記設定手段は、前記判定手段が、前記最大値のデューティで電力が供給されたときに前記発光手段が放出する光の強度が時間的に安定したと判定する前に、デューティを前記最大値に設定してから所定時間が経過したことを受けて、前記デューティを前記中間値に設定することを特徴とする請求項１に記載の画像読取装置。
【請求項３】
前記判定手段は、
前記最大値のデューティで電力が供給されたときに前記発光手段から放出される光の、白色の板状部材からの反射光の強度を、前記受光手段によって、所定の時間間隔で複数回測定する測定手段と、
前記測定手段による複数回の測定によって得られた複数の測定値の傾きを求める算出手段とを備え、
前記判定手段は、前記傾きが所定の基準値未満であるか否かを判定することにより、前記時間的安定性を判定することを特徴とする請求項１又は２に記載の画像読取装置。
【請求項４】
前記設定手段は、前記デューティを前記中間値に設定してから所定時間が経過したことを受けて、前記デューティを、前記画像読取装置の通常動作において設定されるデューティの値に設定することを特徴とする１から３の何れか１項に記載の画像読取装置。
【請求項５】
前記発光手段は、冷陰極蛍光ランプであり、
前記受光手段は、ＲＧＢ用のカラーライン及びＢ／Ｗ用のモノクロラインを備えたＣＣＤであり、
前記判定手段は、前記最大値のデューティで電力が供給されたときに前記発光手段が放出する光の強度を、前記モノクロラインを用いて測定し、前記時間的安定性を判定することを特徴とする請求項１から４の何れか１項に記載の画像読取装置。
【請求項６】
光を放出する発光手段と、前記発光手段によって光が照射された原稿からの反射光を受光する受光手段とを備えた画像読取装置の制御方法であって、
前記発光手段に電力をパルス的に供給する電力供給ステップと、
前記画像読取装置の電源がオンされたとき、又は、前記画像読取装置が省電力モードから復帰したときに、前記パルスのデューティを最大値に設定するステップと、
前記発光手段が、前記最大値のデューティで電力を供給されることにより放出する光の強度の時間的安定性を判定する判定ステップと、
前記判定ステップにおいて、前記最大値のデューティで電力が供給されたときに前記発光手段が放出する光の強度が時間的に安定したと判定されたことを受けて、前記デューティを、前記最大値と、前記画像読取装置の通常動作において設定されるデューティの値との中間値に設定するステップとを含むことを特徴とする制御方法。
【発明の詳細な説明】
【技術分野】
【０００１】
本発明は、電源オン直後又は省電力モードからの復帰直後の読取開始時間を短縮し、低温環境下において読取開始時間が一定時間以上に長くなることを防止することができるように、原稿に光を照射するための光源の通電制御を行なう画像読取装置及びその制御方法に関する。
【背景技術】
【０００２】
イメージスキャナ等の画像読取装置においては、原稿に光を照射するための光源として冷陰極蛍光ランプ（以下、ＣＣＦＬ（Ｃｏｌｄ  Ｃａｔｈｏｄｅ  Ｆｌｕｏｒｅｓｃｅｎｔ  Ｌａｍｐ）ともいう）が使用される。冷陰極蛍光ランプの発光特性は、温度依存性が大きい。
【０００３】
冷陰極蛍光ランプは、内部に希ガス（Ｎｅ及びＡｒの混合ガス）と、適量の水銀蒸気が封入されている。冷陰極蛍光ランプを発光させるには、冷陰極蛍光ランプに高電界を印加する。これによって、電子は加速され、希ガスと弾性衝突して速度を調節しつつ、水銀原子とも衝突して紫外線（主に波長２５３．７ｎｍ）を放出する。蛍光管に配置された蛍光体は、放出された紫外線を吸収して一旦励起された後、低レベルの状態に遷移するときに可視光を発光する（可視光へのエネルギー変換）。
【０００４】
水銀蒸気圧は温度に大きく依存するため、冷陰極蛍光ランプの発光特性は、管壁温度、即ち冷陰極蛍光ランプが使用される周囲の温度に依存する。冷陰極蛍光ランプは、管壁温度が低下すると、水銀蒸気圧が低下して点灯が不安定となる。したがって、寒冷地等の低温環境下では、画像読取装置は、電源がオンされた後、安定して動作するまでに長時間を要する。
【０００５】
下記特許文献１は、低温環境においては、ランプ出力が必要なレベルに達するまでの時間及び安定化までの時間が、常温環境よりも長いという問題を解決するための制御方法を開示している。即ち、特許文献１は、光源の点灯開始から所定時間経過後における、光源の電気信号のピークレベルを所定の閾値と比較することにより、使用環境を判定する環境判定手段を設け、光源が安定化制御に入って出力が安定するまでの時間を短くして、トータルのスキャン時間を短くする技術を開示している。環境判定手段により環境温度が低温であると判断された場合には、目標とするレベルよりも上のレベルまで出力レベルを上げることによって、光源が安定化制御に入り、出力が安定するまでの時間を短くすることができる。
【先行技術文献】
【特許文献】
【０００６】
【特許文献１】特開２００１−２５７８４３号公報
【発明の概要】
【発明が解決しようとする課題】
【０００７】
しかし、スキャナ光源にＣＣＦＬを用いる場合に、上記の特許文献１に開示されているように使用環境を判定する技術を採用すると、ＣＣＦＬが安定化制御に入って出力が安定するまで、画像の読取動作を開始させることができず、電源オン直後又は省電力モードからの復帰直後の読取開始時間が遅くなってしまうことがある。読取開始時間が長いと、故障ではないかと、ユーザに不安を与えてしまう可能性がある。また、季節（夏と冬）等によって、読取開始時間が大きく変動する（バラつく）と、ユーザは、画像読取装置が正常に動作していないと誤解する可能性もある。
【０００８】
したがって、本発明は、電源オン直後又は省電力モードからの復帰直後の、読取開始時間を短縮することができ、低温環境下において読取開始時間が一定時間以上に長くなることを防止することができる画像読取装置及びその制御方法を提供することを目的とする。
【課題を解決するための手段】
【０００９】
本発明に第１の局面に係る画像読取装置は、光を放出する発光部と、発光部によって光が照射された原稿からの反射光を受光する受光部とを備えた画像読取装置である。この画像読取装置は、発光部に電力をパルス的に供給する電力供給部と、画像読取装置の電源がオンされたとき、又は、画像読取装置が省電力モードから復帰したときに、パルスのデューティを最大値に設定する設定部と、発光部が、電力供給部から最大値のデューティで電力を供給されることにより放出する光の強度の時間的安定性を判定する判定部とをさらに備え、設定部は、判定部が、最大値のデューティで電力が供給されたときに前記発光手段が放出する光の強度が時間的に安定したと判定したことを受けて、デューティを、最大値と、画像読取装置の通常動作において設定されるデューティの値との中間値に設定する。
【００１０】
好ましくは、設定部は、判定部が、最大値のデューティで電力が供給されたときに前記発光手段が放出する光の強度が時間的に安定したと判定する前に、デューティを最大値に設定してから所定時間が経過したことを受けて、デューティを中間値に設定する。
【００１１】
より好ましくは、判定部は、最大値のデューティで電力が供給されたときに発光部から放出される光の、白色の板状部材からの反射光の強度を、受光部によって、所定の時間間隔で複数回測定する測定部と、測定部による複数回の測定によって得られた複数の測定値の傾きを求める算出部とを備え、判定部は、傾きが所定の基準値未満であるか否かを判定することにより、時間的安定性を判定する。
【００１２】
さらに好ましくは、設定部は、デューティを中間値に設定してから所定時間が経過したことを受けて、デューティを、画像読取装置の通常動作において設定されるデューティの値に設定する。
【００１３】
好ましくは、発光部は、冷陰極蛍光ランプであり、受光部は、ＲＧＢ用のカラーライン及びＢ／Ｗ用のモノクロラインを備えたＣＣＤであり、判定部は、最大値のデューティで電力が供給されたときに前記発光手段が放出する光の強度を、モノクロラインを用いて測定し、時間的安定性を判定する。
【００１４】
本発明に第２の局面に係る制御方法は、光を放出する発光部と、発光部によって光が照射された原稿からの反射光を受光する受光部とを備えた画像読取装置の制御方法である。この制御方法は、発光部に電力をパルス的に供給する電力供給ステップと、画像読取装置の電源がオンされたとき、又は、画像読取装置が省電力モードから復帰したときに、パルスのデューティを最大値に設定するステップと、発光部が、最大値のデューティで電力を供給されることにより放出する光の強度の時間的安定性を判定する判定ステップと、判定ステップにおいて、最大値のデューティで電力が供給されたときに前記発光手段が放出する光の強度が時間的に安定したと判定されたことを受けて、デューティを、最大値と、画像読取装置の通常動作において設定されるデューティの値との中間値に設定するステップとを含む。
【発明の効果】
【００１５】
本発明によれば、画像読取装置の電源オン直後又は省電力モードからの復帰直後の、画像の読取開始時間を短縮することができる。また、低温環境下等において読取開始時間が一定時間以上に長くなることを防止することができる。
【００１６】
したがって、画像読取装置が設置されている環境の温度変化（季節変化等）によって、読取開始時間が大きく変動することがないので、ユーザに、画像読取装置が正常に動作していないと誤解を与えることがない。
【図面の簡単な説明】
【００１７】
【図１】本発明の実施の形態に係る画像読取装置を装備した画像形成装置の概略構成を示す断面図である。
【図２】本発明の実施の形態に係る画像読取装置の概略構成を示す断面図である。
【図３】図１の画像形成装置の概略構成を示すブロック図である。
【図４】図２の画像読取装置の光源への通電を制御するプログラムの制御構造を示すフローチャートである。
【図５】光量安定制御を示すフローチャートである。
【図６】光源に供給される電圧波形を示す図である。
【図７】低温環境での起動時における、光源への通電のデューティの変化を示すグラフである。
【図８】常温環境での起動時における、光源への通電のデューティの変化を示すグラフである。
【図９】図４とは異なる、図２の画像読取装置の光源への通電を制御するプログラムの制御構造を示すフローチャートである。
【図１０】図４及び図９とは異なる、図２の画像読取装置の光源への通電を制御するプログラムの制御構造を示すフローチャートである。
【発明を実施するための形態】
【００１８】
以下の実施の形態では、同一の部品には同一の参照番号を付してある。それらの名称及び機能も同一である。したがって、それらについての詳細な説明は繰返さない。
【００１９】
本発明の実施の形態に係る画像読取装置には、冷陰極蛍光ランプが使用される。図１を参照して、本発明の実施の形態に係る画像読取装置１３０を装備した画像形成装置１００は、原稿を読取って生成された画像データに応じて、所定の記録紙に単色（以下、白黒又はモノクロともいう）の画像を形成する。
【００２０】
画像形成装置１００は、本体装置１１０と、自動原稿送り装置１２０とにより構成されている。本体装置１１０は、画像読取装置１３０、光走査装置１、現像器２、感光体ドラム３、クリーナユニット４、帯電器５、中間転写ベルトユニット６、定着ユニット７、給紙カセット８１、及び排紙トレイ９１を備えて構成されている。画像形成装置１００は、これらの他にも画像形成装置として機能するために必要な構成要素をも備えている。
【００２１】
画像読取装置１３０は、本体装置１１０の上部に配置されている。画像読取装置１３０の上部には、原稿が載置される透明ガラス（プラテンガラス）からなる原稿載置台９２が設けられている。原稿載置台９２の上側には自動原稿送り装置１２０が取り付けられている。自動原稿送り装置１２０は、原稿載置台９２の上に自動的に原稿を搬送する。自動原稿送り装置１２０は矢印Ｍ方向に回動自在に構成され、原稿載置台９２の上を開放することにより原稿を手で置くことができるようになっている。
【００２２】
本画像形成装置１００において扱われる画像データは、画像形成機能（コピー機能、プリント機能、及びファクシミリ機能）に関しては、モノクロ画像データであり、スキャナ機能（カラースキャナ機能、及びモノクロスキャナ機能）に関しては、カラー画像データ及びモノクロ画像データである。モノクロ画像データは、例えば２５６階調の輝度データである。カラー画像データは、例えば各色２５６階調のＲＧＢデータである。したがって、現像器２、感光体ドラム３、帯電器５、及びクリーナユニット４は、カラーの画像形成装置とは異なり、モノクロの潜像を形成するように１組だけ設けられている。帯電器５は、感光体ドラム３の表面を所定の電位に均一に帯電させるための装置である。
【００２３】
光走査装置１は、レーザ出射部及び反射ミラー等を備えたレーザスキャニングユニット（ＬＳＵ）である。光走査装置１には、レーザビームを走査するポリゴンミラーと、ポリゴンミラーによって反射されたレーザ光を感光体ドラム３に導くためのレンズ及びミラー等の光学要素とが配置されている。光走査装置１は、帯電された感光体ドラム３を、入力された画像データに応じて露光することにより、その表面に、画像データに応じた静電潜像を形成する。現像器２は、それぞれの感光体ドラム３上に形成された静電潜像を黒色のトナーにより顕像化する。クリーナユニット４は、現像及び画像転写後に感光体ドラム３上の表面に残留したトナーを、除去及び回収する。
【００２４】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。中間転写ベルト６１は、感光体ドラム３に接触するように設けられている。感光体ドラム３に形成された黒色のトナー像を中間転写ベルト６１に重ねて転写することによって、中間転写ベルト６１上にモノクロのトナー像（黒色トナー像）が形成される。
【００２５】
感光体ドラム３から中間転写ベルト６１へのトナー像の転写は、中間転写ベルト６１の裏側に接触している中間転写ローラ６４によって行なわれる。中間転写ローラ６４には、トナー像を転写するために高電圧の転写バイアス（トナーの帯電極性（−）とは逆極性（＋）の高電圧）が印加されている。
【００２６】
上述のように感光体ドラム３上で顕像化されたモノクロの静電像は中間転写ベルト６１上に転写される。このように転写された画像情報（トナーの濃淡分布）は、中間転写ベルト６１が回転されて、記録紙と中間転写ベルト６１との接触位置に配置される転写ローラ１０によって記録紙上に転写される。このとき、中間転写ベルト６１と転写ローラ１０とは所定ニップで圧接されると共に、転写ローラ１０にはトナーを記録紙に転写させるための電圧が印加される（トナーの帯電極性（−）とは逆極性（＋）の高電圧）。
【００２７】
上記のように、感光体ドラム３に接触することにより中間転写ベルト６１に付着したトナー、又は転写ローラ１０によって記録紙上に転写が行なわれずに中間転写ベルト６１上に残存したトナーは、中間転写ベルトクリーニングユニット６５によって除去されて回収される。
【００２８】
給紙カセット８１は、画像形成に使用する記録紙を蓄積しておくためのトレイであり、本体装置１１０の光走査装置１の下側に設けられている。また手差し給紙カセット８２にも画像形成に使用する記録紙を置くことができる。また、本体装置１１０に設けられている排紙トレイ９１は、印刷済みの記録紙をフェイスダウンで、即ち印刷面を下にして集積するためのトレイである。
【００２９】
本体装置１１０には、給紙カセット８１及び手差し給紙カセット８２の記録紙を、転写ローラ１０及び定着ユニット７を経由させて排紙トレイ９１に送るために、略鉛直方向に記録紙搬送路Ｓが形成されている。給紙カセット８１又は手差し給紙カセット８２から排紙トレイ９１までの記録紙搬送路Ｓの近傍には、ピックアップローラ１１ａ，１１ｂ、複数の搬送ローラ１２ａ〜１２ｄ、レジストローラ１３、転写ローラ１０、及び定着ユニット７等が配置されている。
【００３０】
搬送ローラ１２ａ〜１２ｄは、記録紙の搬送を促進及び補助するための小型のローラであり、記録紙搬送路Ｓに沿って複数設けられている。ピックアップローラ１１ａは、給紙カセット８１の端部近傍に配置され、給紙カセット８１から記録紙を１枚ずつピックアップして記録紙搬送路Ｓに供給する。同様に、ピックアップローラ１１ｂは、手差し給紙カセット８２の端部近傍に配置され、手差し給紙カセット８２から記録紙を１枚ずつピックアップして記録紙搬送路Ｓに供給する。
【００３１】
レジストローラ１３は、記録紙搬送路Ｓを搬送される記録紙を一旦保持する。そして、感光体ドラム３上のトナー像の先端と記録紙の先端とが一致するタイミングで記録紙を転写ローラ１０に搬送する。
【００３２】
定着ユニット７は、ヒートローラ７１及び加圧ローラ７２を備えている。ヒートローラ７１及び加圧ローラ７２は、記録紙を挟んで回転する。また、ヒートローラ７１は、温度検出器（図示せず）からの信号に基づいて、所定の定着温度に設定されており、加圧ローラ７２とともにトナーを記録紙に熱圧着することにより、記録紙に転写された多色トナー像を溶融、混合、及び圧接し、記録紙に対して熱定着させる機能を有している。また、ヒートローラ７１を外部から加熱するための外部加熱ベルト７３が設けられている。
【００３３】
給紙カセット８１，８２から搬出される記録紙は、記録紙搬送路Ｓの搬送ローラ１２ａによってレジストローラ１３まで搬送され、記録紙の先端と中間転写ベルト６１上の画像情報の先端とが整合するタイミングで転写ローラ１０に投入され、記録紙上に画像情報が書き込まれる。その後、記録紙は定着ユニット７を通過することによって記録紙上の未定着トナーが熱で溶融、及び固着され、記録紙搬送路Ｓの最後に配置された搬送ローラ１２ｂを経て排紙トレイ９１上に排出される。
【００３４】
画像読取装置１３０及び自動原稿送り装置１２０について説明する。図２を参照して、自動原稿送り装置１２０は、その奥一辺をヒンジ（図示せず）により画像読取装置１３０の奥一辺に枢支されている。自動原稿送り装置１２０の手前部分を上下させることにより、画像読取装置１３０の原稿載置台（プラテンガラス）９２が開放され、原稿載置台９２上に原稿を載置することができる。
【００３５】
画像読取装置１３０は、原稿載置台９２、第１走査ユニット４５、第２走査ユニット４６、結像レンズ４７、及びＣＣＤ４８等を備えている。
【００３６】
第１走査ユニット４５は、照明装置５１及び第１反射ミラー５２を備えている。第１走査ユニット４５は、副走査方向Ｙへと原稿サイズに応じた距離だけ一定速度Ｖで移動しながら、原稿載置台９２上の原稿を照明装置５１によって露光し、その反射光を第１反射ミラー５２により反射して第２走査ユニット４６へと導く。これにより原稿表面の画像（カラー又は白黒の文字、図形、写真等を含む）を副走査方向Ｙに走査する。第２走査ユニット４６は、第２反射ミラー５３及び第３反射ミラー５４を備えている。第２走査ユニット４６は、第１走査ユニット４５に追従して速度Ｖ／２で移動しつつ、原稿からの反射光を第２反射ミラー５３及び第３反射ミラー５４により反射して結像レンズ４７へと導く。結像レンズ４７は、原稿からの反射光をＣＣＤ４８に集光して、原稿表面の画像をＣＣＤ４８上に結像させる。ＣＣＤ４８は、原稿の画像を繰返し主走査方向（図２の紙面に垂直な方向）に走査し、１回走査する度に、１主走査ラインのアナログ画像信号を出力する。
【００３７】
第１走査ユニット４５及び第２走査ユニット４６には、それぞれのプーリー（図示せず）が設けられている。これらのプーリーにワイヤー（図示せず）が架け渡され、ワイヤーがステッピングモータにより駆動されることによって、第１走査ユニット４５及び第２走査ユニット４６が同期して移動する。
【００３８】
画像読取装置１３０は、原稿載置台９２上の静止原稿だけでなく、自動原稿送り装置１２０により搬送される原稿表面の画像を読取ることができる。この場合には、図２に示すように第１走査ユニット４５を原稿読取ガラス８４下方の読取領域に移動させ、第１走査ユニット４５の位置に応じて第２走査ユニット４６を配置する。この状態で、自動原稿送り装置１２０による原稿の搬送を開始する。
【００３９】
自動原稿送り装置１２０では、ピックアップローラ５５を原稿トレイ５６上の原稿に押し当てた状態で回転させて１枚の原稿を引き込み、搬送し、原稿の先端をレジストローラ８５に突き当てて、原稿の先端を揃えてから、原稿を原稿読取ガラス８４と読取ガイド板８６との間を通過させ、原稿を排紙ローラ５８から排紙トレイ４９へと排出する。
【００４０】
原稿の搬送に際し、第１走査ユニット４５の照明装置５１により、原稿読取ガラス８４を介して原稿表面を照明し、原稿表面からの反射光を第１走査ユニット４５及び第２走査ユニット４６の各反射ミラーにより結像レンズ４７へと導き、原稿表面からの反射光を結像レンズ４７によりＣＣＤ４８に集光させ、原稿表面の画像をＣＣＤ４８上に結像させる。これにより原稿表面の画像を読取る。
【００４１】
原稿の裏面を読取る場合には、中間トレイ６７をその軸６９の周りに、１点鎖線で示すように回転させておき、原稿を排紙ローラ５８から排紙トレイ４９へと排出する途中で、排紙ローラ５８を停止させて、原稿を中間トレイ６７上に受ける。この状態で、排紙ローラ５８を逆回転させて、反転搬送路６８を介して原稿をレジストローラ８５へと導いて、原稿の表裏を反転させる。原稿表面の画像の読取と同様に、原稿裏面の画像を読取り、中間トレイ６７を、実線で示す元の位置に戻して、原稿を排紙ローラ５８から排紙トレイ４９へと排出する。
【００４２】
このようにして、ＣＣＤ４８により読取られた原稿表面の画像は、ＣＣＤ４８からアナログ画像信号として出力され、アナログ画像信号がＡ／Ｄ変換されてデジタル画像信号が生成される。デジタル画像信号は、種々の画像処理を施されてから画像形成装置１００の光走査装置（レーザ露光装置）１へと入力され、画像が記録紙に記録され、この記録紙が複写原稿として出力される。
【００４３】
なお、原稿載置台９２又は原稿読取ガラス８４上の原稿を第１走査ユニット４５の照明装置５１により照明するときには、ＣＣＦＬ７７の射出光の殆ど全てが原稿に入射するように、射出光の損失を低減させるのが望ましい。そこで、図２に示した照明装置５１では、ＣＣＦＬ７７の射出光を原稿側に直接導くと共に、原稿に直接照射できない方向の射出光を反射して原稿側に導く反射部材７８を備えている。これにより、ＣＣＦＬ７７の射出光の損失を低減させている。
【００４４】
図３を参照して、画像形成装置１００は、ＣＰＵ（Ｃｅｎｔｒａｌ  Ｐｒｏｃｅｓｓｉｎｇ  Ｕｎｉｔ）１０２と、ＲＯＭ（Ｒｅａｄ  Ｏｎｌｙ  Ｍｅｍｏｒｙ）１０４と、ＲＡＭ（Ｒａｎｄｏｍ  Ａｃｃｅｓｓ  Ｍｅｍｏｒｙ）１０６と、ＨＤＤ（Ｈａｒｄ  Ｄｉｓｋ  Ｄｒｉｖｅ）１０８と、バス１８０とを備えている。ＣＰＵ１０２は、画像形成装置１００全体を制御する。ＲＯＭ１０４は、画像形成装置１００の動作を制御するのに必要なプログラム及びデータを記憶する不揮発性の記憶装置である。ＲＡＭ１０６は、データを記憶するための揮発性記憶装置である。ＨＤＤ１０８は、データを記憶するための不揮発性記憶装置である。
【００４５】
ＣＰＵ１０２、ＲＯＭ１０４、ＲＡＭ１０６、ＨＤＤ１０８はバス１８０に接続されている。各部間のデータ（制御情報を含む）交換は、バス１８０を介して行なわれる。ＣＰＵ１０２は、バス１８０を介してＲＯＭ１０４からプログラムをＲＡＭ１０６上に読出して、ＲＡＭ１０６の一部を作業領域としてプログラムを実行する。即ち、ＣＰＵ１０２は、ＲＯＭ１０４に格納されているプログラムにしたがって画像形成装置１００を構成する各部の制御を行ない、画像形成装置１００の各機能を実現する。
【００４６】
画像形成装置１００はさらに、自動原稿送り装置１２０、画像読取装置１３０、画像形成部１５０、画像処理部１５２、給紙部１５４、操作部１６０、タイマ１７０、インターフェイス部１７２、及び電力供給部１７４を備えている。これらも、バス１８０に接続されている。
【００４７】
画像読取装置１３０は、光源部１３２、検出部１３４及び制御部１３６を備えている。光源部１３２は、上記したＣＣＦＬ７７を含む第１走査ユニット４５及び第２走査ユニット４６を備える。検出部１３４は、上記したＣＣＤ４８を含む。制御部１３６は、ＣＰＵによる制御を受けて、光源部１３２（ＣＣＦＬ７７）に、発光に必要な電力を供給してＣＣＦＬ７７を点灯させ、検出部１３４のＣＣＤ４８の出力信号をＡ／Ｄ変換して、ＣＰＵ１０２に伝送する。
【００４８】
給紙部１５４は、上記の給紙カセット８１，８２を含み、画像形成用の記録紙を保持する。画像形成部１５０は、上記した感光体ドラム３、帯電器５、光走査装置１、現像器２、転写ローラ１０、定着ユニット７等を含み、ＲＡＭ１０６又はＨＤＤ１０８から読出された画像データを、上記したように給紙部１５４から搬送される記録紙上に形成する。
【００４９】
操作部１６０は、ユーザによる画像形成装置１００に対する指示等の入力を受付ける。操作部１６０は、操作パネル及び操作キー部（何れも図示せず）を備えている。操作パネルは、液晶パネル等で構成された表示パネルと、表示パネルの上に配置され、タッチされた位置を検出するタッチパネルとを含む。画像形成装置１００を操作するために、表示パネルにはソフトキーを含む操作画面が表示され、操作キー部にはハードキーが配置される。ＣＰＵ１０２は、これらのキーに対するユーザの操作を監視する。ユーザはこれらのキーを押下又はタッチして、画像形成装置１００に対して、画像形成の指示、画像形成の条件の設定等を入力することができる。表示パネルに表示されたキーの選択は、表示パネルに重ねられたタッチパネル上の該当部分にタッチすることによって行なわれる。
【００５０】
ユーザによって操作部１６０が操作され、画像形成が指示された場合、画像読取装置１３０によって、上記したように原稿が読取られて生成された画像データは、画像メモリを兼ねるＲＡＭ１０６に一時的に記憶される。画像処理部１５２は、ＲＡＭ１０６に記憶された画像データに対して、種々の画像処理を実行する。画像データは、必要に応じてＨＤＤ１０８に記憶される。
【００５１】
タイマ１７０は、ＣＰＵ１０２からの要求を受けて、現在の時刻を表すデータ（以下、単に現在時刻ともいう）をＣＰＵ１０２に伝送する。
【００５２】
インターフェイス部１７２は、外部装置とのインターフェイスを行なう。インターフェイス部１７２は、可搬性記憶装置とのインターフェイスを備えており、画像形成装置１００に、例えばＵＳＢメモリへのアクセスを可能にする。例えば、画像形成装置１００は、ＵＳＢメモリから画像データを読出し、それに基づいて記録紙に画像形成することができる。また、画像形成装置１００は、画像読取装置１３０により原稿を読取って生成した画像データを、ＵＳＢメモリに記憶することができる。
【００５３】
また、インターフェイス部１７２は、モデムを備え、画像形成装置１００に、電話回線を介したＦＡＸ通信を可能にする。例えば、画像形成装置１００は、画像読取装置１３０により原稿を読取って生成した画像データを、ＦＡＸ送信し、外部のＦＡＸ装置から画像データを受信して、それに基づいて記録紙に画像形成することができる。また、インターフェイス部１７２は、ＮＩＣ（Ｎｅｔｗｏｒｋ  Ｉｎｔｅｒｆａｃｅ  Ｃａｒｄ）を備え、画像形成装置１００に、通信ネットワークを介したデータ通信を可能にする。例えば、画像形成装置１００は、画像読取装置１３０により原稿を読取って生成した画像データを、所定のサーバコンピュータに送信して記憶させること、又は、電子メールに添付して送信することができる。
【００５４】
電力供給部１７４は、ＣＰＵ１０２の制御を受けて、画像形成装置１００を構成する各部に所定の電力を供給する。画像読取装置１３０の光源部１３２のＣＣＦＬ７７を点灯させるための電力も電力供給部１７４から供給される。
【００５５】
図４を参照して、画像読取装置１３０のＣＣＦＬ７７への通電を制御するプログラムの制御構造について説明する。ここでは、検出部１３４のＣＣＤ４８は、赤色検出用のＲライン、緑色検出用のＧライン、青色検出用のＢライン、及び、輝度検出用のＢ／Ｗライン（モノクロライン）の合計４ラインを備えているとする。また、カラースキャンの場合のみ、ＣＣＤ４８のＲＧＢの３ラインが使用され、それ以外のジョブにおいてＣＣＤ４８が使用される場合には、Ｂ／Ｗラインが使用されるとする。
【００５６】
即ち、ユーザによって画像形成（例えばコピー）が指示された場合には、ＣＣＤ４８のＢ／Ｗラインが使用されて原稿が読取られ、輝度画像データ（モノクロ画像データ）が生成されて、これに基づいて記録紙への画像形成が行なわれる。また、ユーザによってＦＡＸ送信が指示された場合にも同様に、ＣＣＤ４８のＢ／Ｗラインが使用される。
【００５７】
ユーザによってスキャンが指示された場合には、モノクロスキャンであれば、上記と同様にＣＣＤ４８のＢ／Ｗラインが使用される。一方、カラースキャンであれば、ＣＣＤ４８のＲＧＢの３ラインが使用されて原稿が読取られ、カラー画像データが生成されて、ＨＤＤ１０８に記憶される。その後、ＨＤＤ１０８からカラー画像データが読出されて、インターフェイス部１７２を介し、ユーザの指示に応じて上記したように外部装置等に出力される。
【００５８】
画像形成装置１００の電源がオンされると、ウォームアップが実行される。このとき、図４に示したプログラムが、ＲＯＭ１０４から読出されて実行される。ステップ３００において、ＣＰＵ１０２は、光量安定制御を実行する。光量安定制御は、図５に示す処理である。
【００５９】
図５を参照して、ステップ４００において、ＣＰＵ１０２は、ＣＣＦＬ７７への通電のデューティを１００％に設定し、光源部１３２（第１走査ユニット４５）を白基準読取位置（白板下）に移動させる。また、ＣＰＵ１０２は、タイマ１７０から現在時刻を取得して開始時刻ｔｓ１として、ＲＡＭ１０６の所定領域に記憶する。ＣＣＦＬ７７への通電のデューティも、ＲＡＭ１０６に記憶される。白基準読取位置は、例えば原稿読取ガラス８４が配置されている位置であり、読取ガイド板８６が白板（白色の板状部材）に対応する。
【００６０】
ＣＣＦＬ７７を点灯させるための通電は、図６に示すようにパルス的に実行される。図６の上側の波形は、ＣＣＤ４８の水平同期信号を表す。隣接する水平同期パルスの間隔ＴＨの間に、ＣＣＦＬ７７に、一定の周期及び所定のデューティで所定の電圧が印加される。１周期の電圧オン期間をＴｏｎ、電圧オフ期間をＴｏｆｆとすると、デューティ（Ｄｕｔｙ）は、Ｄｕｔｙ＝Ｔｏｎ／（Ｔｏｎ＋Ｔｏｆｆ）×１００（％）で表される。デューティを変更することによって、ＣＣＦＬ７７が放出する光の強度を制御することができる。
【００６１】
ステップ４０２において、ＣＰＵ１０２は、設定されているデューティ（１００％）でＣＣＦＬ７７を点灯させて、白板（読取ガイド板８６）により反射される光をＣＣＤ４８で複数回測定し、測定値から求めた傾き（時間変化）が所定の基準値未満であるか否かを判定する。所定値未満であると判定された場合、制御は図４のステップ３０２に移行する。そうでなければ制御はステップ４０４に移行する。傾きを評価するための基準値は、例えば２％である。
【００６２】
ＣＣＤによる測定及び傾きの算出は、例えば次のようにして行なわれる。測定値は、ＣＣＤ４８のＢ／Ｗラインの中央部の４画素の出力値を平均した値である。測定は、サンプリング周期１００ｍｓ（ミリ秒）で、連続して３２回行なう。即ち、測定時間３．２秒間で３２個の測定値を得る。なお、ＣＣＤ４８から出力されるアナログデータについて、ゲイン調整、デジタルデータへの変換等の処理を行なうＡＦＥ（Ａｎａｌｏｇ  Ｆｒｏｎｔ  Ｅｎｄ）のゲインは一定（例えば１倍）にして測定する。傾きα（％）は、測定期間（３．２秒）を前半期間と後半期間とに分割し、前半期間に得られる１６個の測定値の平均値をＡ１とし、後半期間に得られる１６個の測定値の平均値をＡ２として、α＝（Ａ２−Ａ１）／Ａ１×１００により計算される。
【００６３】
ステップ４０４において、ＣＰＵ１０２は、タイマ１７０から現在時刻ｔを取得し、ＲＡＭ１０６から開始時刻ｔｓ１を読出し、開始時刻から所定時間が経過したか否かを判定する。経過したと判定された場合、制御は図４のステップ３０２に移行する。そうでなければ、制御はステップ４０２に戻る。ＣＰＵ１０２は、ｔｓ１−ｔ（秒）を計算し、例えば所定時間が４５秒である場合、ｔｓ１−ｔ＞４５であるか否かを判定する。
【００６４】
ステップ３０２において、ＣＰＵ１０２は、ＣＣＦＬ７７への通電のデューティを８０％に設定する。設定されるデューティは、ステップ４００でＲＡＭ１０６に記憶されたデューティに上書きされる。
【００６５】
ステップ３０４において、ＣＰＵ１０２は、タイマ１７０から現在時刻を取得して開始時刻ｔｓ２として、ＲＡＭ１０６の所定領域に記憶し、設定されているデューティを用いてＣＣＦＬ７７を点灯制御し、ＣＣＤ４８のＢ／Ｗラインを用いてシェーディングを実行する。
【００６６】
画像形成装置等においては、光学系の周辺減光、及び撮像素子（ＣＣＤ）の感度の不均一性等によって、測定対象画像（原稿）の本来の輝度と測定された映像信号との間に不整合が生じる。シェーディングとは、この不整合を補正する処理を意味する。例えば、測定された画像の周辺部が中心部に比べて暗い（輝度が小さい）輝度ムラが生じる場合に、シェーディングにより、画像全体が平均的に一様な明るさとなるように補正する。具体的には、全体が一様な輝度分布を有する画像（ここでは白板）を測定した入力デー夕を用いて、全画素（ＣＣＤのＢ／Ｗライン）に対する変換特性を求める。その後スキャンを実行する場合には、この変換特性に基づいて輝度を補正する。シェーディング処理は公知であるので、これ以上の説明を繰返さない。
【００６７】
ステップ３０６において、ＣＰＵ１０２は、画像形成装置１００に所定の機能を実現させるためのジョブの実行が指示されたか否かを判定する。指示されたと判定された場合、制御はステップ３０８に移行する。そうでなければ、制御はステップ３１２に移行する。
【００６８】
具体的には、ＣＰＵ１０２は、操作部１６０の表示パネルに操作画面を表示し、ユーザの操作を待受ける。例えば、ユーザが、自動原稿送り装置１２０に原稿をセットし、操作画面において、コピー、スキャン又はＦＡＸ送信を開始させるためのキー（スタートキー）にタッチした場合、ＣＰＵ１０２は、ジョブの実行が指示されたと判定する。また、インターフェイス部１７２を介してＦＡＸ受信を検知した場合、ＣＰＵ１０２は、ジョブの実行が指示されたと判定する。
【００６９】
ステップ３０８において、ＣＰＵ１０２は、指示されたジョブが、カラースキャンを実行するジョブであるか否かを判定する。カラースキャンを実行するジョブであると判定された場合、制御はステップ３２０に移行する。そうでなければ、制御はステップ３１０に移行する。
【００７０】
ステップ３１０において、ＣＰＵ１０２は、指示されたジョブの実行を開始する。以降、本プログラムと指示されたジョブを実行するためのプログラムとが並列して、例えば、マルチタスク処理により実行される。
【００７１】
ステップ３１２において、ＣＰＵ１０２は、タイマ１７０から現在時刻ｔを取得し、ＲＡＭ１０６から、ステップ３０４で記憶した開始時刻ｔｓ２を読出し、開始時刻から所定時間が経過したか否かを判定する。経過したと判定された場合、制御はステップ３１４に移行する。そうでなければ、制御はステップ３０６に戻る。ＣＰＵ１０２は、ｔｓ２−ｔ（秒）を計算し、例えば所定時間が１８０秒である場合、ｔｓ２−ｔ＞１８０であるか否かを判定する。
【００７２】
これによって、所定時間（１８０秒）が経過するまで、デューティ８０％で、指示されたジョブが実行される。所定時間（１８０秒）が経過するまでに、指示されたジョブが完了した場合には、ＣＰＵ１０２は、次のジョブを受付けることができる（ステップ３０６の判定が実行される）。
【００７３】
ステップ３１４において、ＣＰＵ１０２は、ジョブを実行中か否かを判定する。実行中であれば、ステップ３１４が繰返される。実行中でなければ、制御はステップ３１６に移行する。
【００７４】
ステップ３１６において、ＣＰＵ１０２は、ＣＣＦＬ７７への通電のデューティを、通常の動作時に使用される値である７１％に設定する。その後、本プログラムは終了し、画像形成装置１００は待機状態になる。
【００７５】
ステップ３０８でカラースキャンが指示されたと判定された場合、ステップ３２０において、ＣＰＵ１０２は、指示されたジョブが最初のジョブであるか否かを判定する。ここで最初のジョブとは、ステップ３０２でデューティが８０％に設定された後、省電力モードに移行するまでの間において、最初に実行を指示されたカラースキャンを行なうべきジョブを意味する。最初のジョブであると判定された場合、制御はステップ３２２に移行する。そうでなければ、制御はステップ３２８に移行する。
【００７６】
ステップ３２２において、ＣＰＵ１０２は、上記した光量安定制御（ステップ４００〜ステップ４０４）を実行する。但し、ステップ４０２において、傾きが基準値以上になったと判定された場合、又は、ステップ４０４において、所定時間が経過したと判定された場合には、制御はステップ３２４に移行する。
【００７７】
ステップ３２４において、ＣＰＵ１０２は、ＣＣＦＬ７７への通電のデューティを７１％に設定する。
【００７８】
ステップ３２６において、ＣＰＵ１０２は、設定されているデューティを用いてＣＣＦＬ７７を点灯制御し、ＣＣＤ４８の各ＲＧＢのラインを用いて、各カラーのシェーディングを実行する。
【００７９】
ステップ３２８において、ＣＰＵ１０２は、指示されたジョブ、即ちカラースキャンの実行を開始する。以降、本プログラムと指示されたカラースキャンを実行するためのプログラムとが並列して実行される。
【００８０】
ステップ３３０において、ＣＰＵ１０２は、ジョブ（カラースキャン）が完了したか否かを判定する。実行中であれば、ステップ３３０が繰返される。完了すれば、制御はステップ３３２に移行する。
【００８１】
ステップ３３２において、ＣＰＵ１０２は、タイマ１７０から現在時刻ｔを取得し、ＲＡＭ１０６から、ステップ３０４で記憶した開始時刻ｔｓ２を読出し、開始時刻から所定時間（例えば１８０秒）が経過したか否かを判定する。経過したと判定された場合、本プログラムは終了し、画像形成装置１００は待機状態になる。そうでなければ、制御はステップ３０６に戻る。
【００８２】
これによって、所定の時間（１８０秒）が経過するまでに、指示されたカラースキャンが完了した場合には、ＣＰＵ１０２は、次のジョブを受付けることができる（ステップ３０６で別のジョブが指示されたか否かが判定される）。
【００８３】
待機状態では、ジョブの実行が指示された場合、設定されているデューティ７１％でシェーディング（ジョブに応じてモノクロのシェーディング又はカラーのシェーディング）が実行された後、ジョブが実行される。そして、待機状態から省電力モードに移行し、その後、省電力モードから通常モードに復帰した場合には、本プログラムが実行される。
【００８４】
以上によって、画像形成装置１００の電源がオンされる、又は省電力モードから通常モードに復帰すると、ＣＣＦＬ７７への通電のデューティを最大（１００％）にして光量安定制御が実行されるので、ＣＣＦＬ７７を、所定の光量を出力可能な状態に速やかに移行させることができる。また、所定時間（４５秒）以内にランプの出力光量が安定しなくても、所定時間（４５秒）が経過すれば、デューティを最大値から減少させて、その後の所定時間（１８０秒）通常よりも大きい値に設定するので、ジョブの実行が指示されると、速やかにジョブを実行することができる。したがって、画像形成装置１００が低温環境にありＣＣＦＬ７７が低温状態であったとしても、電源オンの直後、又は省電力モードからの復帰直後から最初のコピー実行までの時間、即ち画像の読取開始時間を短縮することができる。
【００８５】
図７及び図８に、画像形成装置１００の電源がオンされた後のデューティの変化を示す。画像形成装置１００の電源がオンされたときに、ＣＣＦＬ７７が低温状態であれば、デューティは図７に示したように変化する。一方、ＣＣＦＬ７７が低温状態でなければ、デューティは図８に示したように変化する。
【００８６】
図７において、時刻ｔ＝０において電源がオンされると、光量安定制御（ステップ３００）が実行され、デューティが１００％に設定される（ステップ４００）。その状態で期間Ｔ１において、所定のタイミングで光量が安定したか否か（ステップ４０２）、又は所定の時間が経過したか否か（ステップ４０４）が判定される。ＣＣＦＬ７７が低温状態であり、所定時間（４５秒）が経過しても光量が安定しなければ、時刻ｔ＝４５において、デューティが８０％に変更され（ステップ３０２）、図７の期間Ｓ１においてモノクロのシェーディングが実行される（ステップ３０４）。この状態で期間Ｔ２において、コピー（モノクロコピー）の指示を受けた場合、デューティ８０％でコピーが実行される（ステップ３０６〜３１０）。その後、所定時間（１８０秒）が経過すると、ジョブが実行中でなければ、ｔ≧２２５の時刻においてデューティは通常動作時に使用される値７１％に設定され（ステップ３１６）、期間Ｔ３において、画像形成装置１００は待機状態になる。期間Ｔ３において、画像形成装置１００は、コピー（モノクロコピー）の実行の指示を受けると、図７の期間Ｓ２においてモノクロのシェーディングを実行した後、コピーを実行する。
【００８７】
このように、画像形成装置１００が寒冷地等の低温環境に設置されており、電源オン時にＣＣＦＬ７７の温度が低く、電源オン後の所定時間（４５秒）の間に光量が安定しなくても、所定時間（４５秒）が経過すれば、コピーが実行可能になる。したがって、ユーザは、光量が安定するまで長い時間待つ必要がなく、比較的速やかにコピーを得ることができる。その後約１８０秒間、デューティが８０％に維持されることによって、光量が十分に安定するので、デューティは７１％に設定される。これは、高いデューティ（８０％）で使用することによるランプ寿命の低下を抑制するためである。
【００８８】
一方、図８は、寒冷地等ではない常温環境に画像形成装置１００が設置されている場合のデューティの変化を示す。図８において、時刻ｔ＝０において電源がオンされると、光量安定制御（ステップ３００）が実行され、デューティが１００％に設定される（ステップ４００）。その状態で（期間Ｔ１）、所定のタイミングで光量が安定したか否か（ステップ４０２）、又は所定の時間が経過したか否か（ステップ４０４）が判定される。ＣＣＦＬ７７が低温状態でなければ、比較的短時間に、光量は安定する。したがって、ｔ１＜４５（秒）の時刻ｔ１において、デューティが８０％に変更され（ステップ３０２）、図８の期間Ｓ１においてモノクロのシェーディングが実行される（ステップ３０４）。この状態で（期間Ｔ２）、コピー（モノクロコピー）の指示を受けた場合、デューティ８０％でコピーが実行される（ステップ３０６〜３１０）。その後、所定時間（１８０秒）が経過すると、ジョブが実行中でなければ、ｔ≧ｔ１＋１８０の時刻ｔにおいてデューティは通常動作時に使用される値７１％に設定され（ステップ３１６）、画像形成装置１００は待機状態になる（期間Ｔ３）。期間Ｔ３において、画像形成装置１００は、コピー（モノクロコピー）の実行の指示を受けると、図８の期間Ｓ２においてモノクロのシェーディングを実行した後、コピーを実行する。
【００８９】
このように、画像形成装置１００が寒冷地等ではなく通常の温度環境に設置されていれば、電源オン時にＣＣＦＬ７７の温度は常温であり、電源オン後の所定時間（４５秒）の間に光量が安定する。したがって、ユーザは、所定時間（４５秒）が経過するよりも前にコピーを得ることができる。その後約１８０秒間、デューティが８０％に維持されることによって、光量が十分に安定するので、デューティは７１％に設定される。
【００９０】
このように、電源オン時又は省電力モードからの復帰直後にＣＣＦＬ７７が低温であったとしても、遅くとも約４５秒経過すればコピーを実行可能になる。また、ＣＣＦＬ７７が低温でなければ、４５秒経過する前にコピーを実行可能になる。したがって、読取開始時間が遅くなり、ユーザに、故障ではないかと誤解を与えることを回避することができる。
【００９１】
上記では、ステップ４０２において、傾きが基準値未満であるか否かのみを判定したが、これは、ＣＣＦＬ７７が点灯していることが前提である。しかし、ＣＣＦＬ７７が故障等で電圧を印加しても点灯しない場合もある。その場合には、ステップ４０２で、傾きは常に基準値未満であると判定される。したがって、測定値が所定の値以上であることを確認することが好ましい。
【００９２】
例えば、ＣＣＤ４８の出力値が８ビットのデジタルデータ（０〜２６５）で表される場合、前半期間の１６個の測定値の平均値Ａ１が、例えば３７よりも大きいことを条件とする。即ち、ステップ４０２において、Ａ１＞３７、且つ、α＜２（％）である場合に、制御はステップ３０６に移行し、そうでなければ、制御はステップ４０４に移行するようにする。このようにすれば、ＣＣＦＬ７７の発光が安定しているか否かをより正確に判定することができる。なお、Ａ１＞３７が満たされない場合には、異常と判定して、操作部１６０にエラーメッセージを表示して、それ以降の処理を停止することが好ましい。
【００９３】
また、上記では、光量の安定性を、所定の傾きによって判定する場合を説明したがこれに限定されない。ランプの光量の時間的安定性を評価することができる方法であればよく、上記した傾きを求める方法以外の方法であってもよい。傾きによって判定するとしても、上記の定義以外の傾きを使用してもよい。
【００９４】
また、上記では、デューティ最大（１００％）に設定する時間（図６及び図７の期間Ｔ１）が４５秒である場合を説明したが、これに限定されない。４５秒以外の値であってもよい。期間Ｔ１の値は、画像形成装置１００に応じて適宜設定され得る。
【００９５】
また、上記では、光量安定制御の処理の後（ステップ３０２）、デューティを８０％に設定する場合を説明したが、これに限定されない。光量安定制御の処理の後に設定されるデューティは、最大値よりも小さく、ランプの寿命を考慮して、画像形成装置１００の通常動作時に使用される値Ｄ０（例えば７１％）よりも大きい値Ｄ１（Ｄ１＞Ｄ０）であればよい。
【００９６】
また、デューティが、最大値よりも小さく、画像形成装置の通常動作時に使用される値Ｄ０よりも大きい値に設定される期間（図７及び図８の期間Ｔ２）の長さは、上記した１８０秒に限定されない。期間Ｔ２は、設定される値Ｄ１に応じて、適宜設定され得る。例えば、ＣＣＦＬ７７の光量が４５秒間で安定しなかった場合に、デューティＤ１でコピーを実行することにより、光量が安定するまでの時間を設定することができる。
【００９７】
また、画像形成装置１００の通常動作時に使用されるデューティＤ１は７１％に限定されない。ランプの寿命等を考慮して、適切な値が使用され得る。
【００９８】
また、図４及び図５に示したプログラムは一例であり、種々変更して実施することができる。例えば、図９に示すように、モノクロのシェーディングを実行するステップ３０４を、ジョブを実行するステップ３１０の直前に移動させてもよい。
【００９９】
また、図１０に示すように、図４において、デューティを７１％に設定するステップ３２４の後、カラーのシェーディングを実行するステップ３２６の前に、モノクロのシェーディングを実行するステップ３４０を追加してもよい。図１０のステップ３４０において、ＣＰＵ１０２は、設定されているデューティ７１％を用いて、ステップ３０４と同様にＣＣＦＬ７７を点灯制御し、ＣＣＤ４８のＢ／Ｗラインを用いてモノクロのシェーディングを実行する。これにより、カラースキャンを完了した後、コピー（モノクロ）の指示を受けた場合に、より速やかにコピーを実行することが可能になる
【０１００】
また、図４において、ステップ３０２でデューティが８０％に設定された後、カラースキャンが実行（ステップ３２０〜３３０）されると、デューティは７１％に設定されたまま、制御はステップ３０６に戻る。したがって、次にコピー（モノクロコピー）の実行が指示された場合、ステップ３１０において、デューティ７１％でコピーが開始されるが、問題はない。なお、カラースキャンの次にコピーの実行が指示された場合に、デューティ８０％でコピーが実行されるようにするには、例えば、図１０においてステップ３１０の直前に、デューティを８０％に設定するステップを追加すればよい。また、図４であれば、デューティを８０％に設定するステップと、モノクロのシェーディングを実行するステップとを追加してもよい。
【０１０１】
また、上記では、シェーディングを実行（ステップ３０４）した後に、ジョブの実行が指示されたか否かを判定する場合を説明したが、これに限定されない。例えば、操作部１６０の操作パネルに操作画面を表示した後、ステップ３００〜３０４の処理の実行と並行して、操作パネルの操作を検知し、ジョブの実行を指示するためのキーがタッチされたか否かを判定してもよい。その場合には、ＣＰＵ１０２は、ステップ３０４の処理が完了する前に、ジョブの実行を指示するキーがタッチされたことを検知した場合には、タッチされたキーの情報を、ＲＡＭ１０６に記憶すればよい。このようにすれば、ＣＰＵ１０２は、ステップ３０６において、ＲＡＭ１０６に記憶したキーの情報を参照して、ジョブの実行の指示を受けたか否かを判定し（ステップ３０６）、その指示がカラースキャンを実行するジョブであるか否かを判定する（ステップ３０８）ことができる。
【０１０２】
上記では、画像形成装置１００がモノクロの画像形成機能しか備えていない場合を説明したが、冷陰極蛍光ランプ等の、発光特性が温度依存性（低温での発光特性が低下）を有するランプを使用した画像形成装置であれば、カラーの画像形成機能を備えていてもよい。カラーの画像形成のジョブに関しては、カラースキャンの実行が必要であるので、ステップ３０８における判定により、ステップ３２０〜３３２の処理が実行される。なお、Ｂ／Ｗラインを備えていないカラーＣＣＤを使用する場合、ステップ３００等においてモノクロ処理を実行する場合、Ｇラインの測定データを輝度データとして用いて処理しても、ＲＧＢデータからモノクロデータ（輝度データ）を生成して処理してもよい。また、ＣＣＤのＲＧＢラインを使用して、光量安定制御を実行する場合には、読取り周期等によりＣＣＤの出力値が飽和しない範囲で、通常動作で使用されるデューティよりも大きいデューティで光量安定制御を実行することが好ましい。例えば、光量安定制御においては、ＣＣＤの出力値が飽和しない範囲で最大のデューティ（１００％とは限らない）を設定する。
【０１０３】
上記では、ステップ４００において、光源部１３２（第１走査ユニット４５）を白基準読取位置（白板下）に移動させる場合を説明したが、光源部１３２のホームポジション（非動作時の位置）が、白板の直下であれば、光源部１３２を移動させる必要はない。
【０１０４】
上記では、画像読取装置が画像形成装置に装備された場合を説明したが、これに限定されない。温度によって発光特性が変化するランプを、原稿の照明装置に採用しているスキャナ機能を有する装置であればよい。例えば、スキャナ、又はファクシミリ等であってもよい。
【０１０５】
以上、実施の形態を説明することにより本発明を説明したが、上記した実施の形態は例示であって、本発明は上記した実施の形態に限定されるものではなく、種々変更して実施することができる。
【符号の説明】
【０１０６】
４５    第１走査ユニット
４６    第２走査ユニット
４７    結像レンズ
４８    ＣＣＤ
５１    照明装置
５２    第１反射ミラー
５３    第２反射ミラー
５４    第３反射ミラー
７７    冷陰極蛍光ランプ（ＣＣＦＬ）
１００    画像形成装置
１０２    ＣＰＵ
１０４    ＲＯＭ
１０６    ＲＡＭ
１０８    ＨＤＤ
１２０    自動原稿送り装置
１３０    画像読取装置
１３２    光源部
１３４    検出部
１３６    制御部
１５０    画像形成部
１５２    画像処理部
１５４    給紙部
１７０    タイマ
１７２    インターフェイス部
１７４    電力供給部
１８０    バス
【図１】
2014057285.tif 000003
【図２】
2014057285.tif 000004
【図３】
2014057285.tif 000005
【図４】
2014057285.tif 000006
【図５】
2014057285.tif 000007
【図６】
2014057285.tif 000008
【図７】
2014057285.tif 000009
【図８】
2014057285.tif 000010
【図９】
2014057285.tif 000011
【図１０】
2014057285.tif 000012